(57)【要約】【課題】  低コストで上部扉を開状態に保持し得る消火全格納箱を提供する。【解決手段】  扉枠２と、扉枠２に上部の支軸を介して縦開き開閉自在に設けられた上部扉５と、扉枠２の側板に形成された第１係合孔２ｃと、上部扉５の側板に形成され上部扉５の所定開度位置で第１係合孔２ｃと連通する第２係合孔５ｃと、を備え、第１係合孔２ｃ及び第２係合孔５ｃを連通させた状態で第１係合孔２ｃ及び第２係合孔５ｃに係合軸体１０を挿通することにより、上部扉５を所定開度位置で開状態を保持するように構成する。【選択図】  図６
2017176273.tif 000002
【特許請求の範囲】
【請求項１】
扉枠と、
前記扉枠に開閉自在に設けられた下部扉と、
前記下部扉の上側において前記扉枠に、縦開き開閉自在に設けられた上部扉と、
前記扉枠の内周側板に形成された第１係合孔と、
前記上部扉の側板に形成され、前記上部扉の所定開度位置で前記第１係合孔と連通する第２係合孔と、を備え、
前記第１係合孔及び第２係合孔を連通させた状態で前記第１係合孔及び第２係合孔に係合軸体を挿通することにより、前記上部扉を所定開度位置で開状態を保持するように構成されていることを特徴とする消火栓格納箱。
【請求項２】
前記上部扉を縦開き開閉自在に支持する支軸が、前記上部扉の裏面に取り付けられた軸受部材に支持されており、
前記係合軸体と前記支軸とを連結する連結部材を更に備え、該連結部材は、前記上部扉の前記所定開度位置で連通する前記第１係合孔及び第２係合孔に前記係合軸体を挿抜可能に支持することを特徴とする請求項１に記載の消火栓格納箱。
【発明の詳細な説明】
【技術分野】
【０００１】
本発明は、消火栓格納箱に関する。
【背景技術】
【０００２】
従来、消火栓格納箱の多くは、前面に下部扉と上部扉とを有しており、下部扉内に消防ホース類が収容され、上部扉内に自動火災報知機等の電気器具類が設置されるとともに消防設備に必要な電気器具（主に自動火災報知設備機器）が上部扉に取り付けられる（例えば、特許文献１等）。
【先行技術文献】
【特許文献】
【０００３】
【特許文献１】特開２００９−１０６４６５号公報
【発明の概要】
【発明が解決しようとする課題】
【０００４】
この種の消火栓格納箱では、自動火災報知機等の電気器具類の取付工事又は、メンテナンスを行う際、上部扉を開いた状態で保持しなければならないが、縦開き構造（上部扉を開閉自在に支持する支軸が水平方向である構造）では、上部扉を開いた状態に保持するために、２人の作業者のうちの一人が上部扉を開いた状態に保持し他の一人が取付工事等を行う必要があった。
【０００５】
消火栓格納箱の中には、上部扉を開状態で支持するためのダンパーやステー等の付加装置を備えるものもあるが、コスト高となる。そもそも上部扉は、開閉頻繁が極めて少ないものであるため、利便性によるメリットよりもコスト高によるデメリットの方が大きい。また、ステーやダンパーを設けた場合、上部扉を閉める際に、電気器具類の電線が扉枠の外側にはみ出したことに気づかず、ステーやダンパーと扉枠に挟まった状態になって電線を切断する事故も発生している。
【０００６】
そこで本発明は、低コストで上部扉を開状態に保持し得る消火全格納箱を提供することを主たる目的とする。
【課題を解決するための手段】
【０００７】
上記目的を達成するため、本発明に係る消火栓格納箱は、扉枠と、前記扉枠に開閉自在に設けられた下部扉と、前記下部扉の上側において前記扉枠に縦開き開閉自在に設けられた上部扉と、前記扉枠の内周側板に形成された第１係合孔と、前記上部扉の側板に形成され前記上部扉の所定開度位置で前記第１係合孔と連通する第２係合孔と、を備え、前記第１係合孔及び第２係合孔を連通させた状態で前記第１係合孔及び第２係合孔に係合軸体を挿通することにより、前記上部扉を所定開度位置で開状態を保持するように構成されていることを特徴とする。
【０００８】
また、本発明に係る消火栓格納箱は、ある実施形態において、前記上部扉を縦開き開閉自在に支持する支軸が、前記上部扉の裏面に取り付けられた軸受部材に支持されており、前記係合軸体と前記支軸とを連結する連結部材を更に備え、該連結部材は、前記上部扉の前記所定開度位置で連通する前記第１係合孔及び第２係合孔に前記係合軸体を挿抜可能に支持する。
【発明の効果】
【０００９】
本発明によれば、扉枠に形成した第１係合孔と上部扉に形成された第２係合孔とを連通状態になる位置まで上部扉を開き、連通した両係合孔に係合軸体を挿通することにより上部扉を所定の開度位置で保持することができるので、上部扉を所定の開度位置で保持し得る消火栓格納箱を低コストで提供することが可能となる。また、電気器具類の電線を噛み込むことがないので電線の切断もなく、安全性を確保できる。
【図面の簡単な説明】
【００１０】
【図１】屋内の壁面に埋設された消火栓格納箱を表側から見た斜視図である。
【図２】消火栓格納箱の上部扉の支軸の組立手順を示すために、上部扉を裏側から見た部分拡大斜視図である。
【図３】図２に続く組立手順を示す部分拡大斜視図である。
【図４】図３に続く組立手順を示す部分拡大斜視図である。
【図５】本発明に係る消火栓格納箱の第１実施形態の操作手順を示すために、上部扉を裏側から見た部分拡大斜視図である。
【図６】図５に続く操作手順を示す部分拡大斜視図である。
【図７】図６に続く操作手順を示す部分拡大斜視図である。
【図８】上記第１実施形態の変更態様の操作手順を示すために、上部扉を裏側から見た部分拡大斜視図である。
【図９】図８に続く操作手順を示す部分拡大斜視図である。
【図１０】図９に続く操作手順を示す部分拡大斜視図である。
【図１１】本発明に係る消火栓格納箱の第２実施形態の構成要素である連結部材を係合軸体とともに示す斜視図である。
【図１２】上記第２実施形態の組立手順を示す部分拡大斜視図である。
【図１３】上記第２実施形態の操作手順を示すために、上部扉を裏側から見た部分拡大斜視図である。
【図１４】図１３に続く操作手順を示す部分拡大斜視図である。
【図１５】図１４に続く操作手順を示す部分拡大斜視図である。
【発明を実施するための形態】
【００１１】
本発明に係る消火栓格納箱の実施形態について以下に図１〜図１５を参照して説明する。なお、全図及び全実施形態を通じ、同一又は類似の構成要素に同符号を付した。
【００１２】
図１は屋内の壁面Ｗに埋設固定された消火栓格納箱の斜視図を示している。消火栓格納箱１は、扉枠２と、扉枠２に開閉自在に設けられた下部扉３と、下部扉３の上側において扉枠２に上部の支軸４（図２〜図４参照）を介して縦開き開閉自在に設けられた上部扉５と、を備えている。
【００１３】
下部扉３は、図示例では横開き扉であるが、横開きに限定されない。下部扉３の内側には、図示しないが、消火栓弁やそれに接続された消防用ホース等が収容され得る。上部扉５には、自動火災報知機６、表示灯７等が取り付けられ、上部扉５の内側には制御盤等（図示せず。）が収容される。
【００１４】
上部扉３を縦開き開閉自在に支持する機構について、図２〜図４を参照する。なお、図２〜図４において、理解の容易および図示説明の都合上、本発明の構成要素であって後述する第１係合孔及び第２係合孔は図示省略している。図２に示すように、上部扉５を縦開き開閉自在に支持する支軸４は、軸部４ａの一端に軸部４ａと直角をなすレバー部４ｂを備えるＬ字状であって、上部扉５の裏面に溶接固定された軸受部材８に支持されている。軸受部材８は、上部扉５に溶接固定された基板８ａと、基板８ａに折り曲げ形成された一対の軸受片８ｂ、８ｃと、基板８ａに折り曲げ形成されて支軸４のレバー部４ｂを係止して抜け止めする係止片８ｄとを備えている。一方の軸受片８ｂは、軸部４ａの周囲三方を囲む略コ字状に形成され、軸部４ａを軸線周りに回動可能且つ長さ方向に移動可能に支持している。上部扉５の側板５ａと扉枠２の内周側板２ａの其々に形成された開口５ｂ、２ｂに支軸４が挿通され、図３及び図４に示すように、レバー部４ｂを軸受片８ｂと係止片８ｄとの間に挟むようにして係止させることにより、支軸４周りに、上部扉５が扉枠２に縦開き可能に支持されている。
【００１５】
図５〜図７は、本発明に係る第１実施形態の上部扉３を裏側から見た部分拡大斜視図であり、扉枠２の内周側板２ａには、開口２ｂとは別に、開口２ｂの近傍に、第１係合孔２ｃが形成されている。そして、上部扉５の側板５ａには、上部扉５の所定開度位置で第１係合孔２ｃと連通する第２係合孔５ｃが形成されている。
【００１６】
係合軸体１０は、図５に示すように、係合軸体１０を着脱可能に挟持する保持部材１１に保持させることができる。図５に示す保持部材１１は、上部扉５の裏面に取り付けられた一対の挟持片１１ａ、１１ｂを備え、両挟持片１１ａ、１１ｂの弾性挟持力により係合軸体１０を着脱可能に保持する。
【００１７】
図６に示すように、第１係合孔２ｃ及び第２係合孔５ｃを連通させた状態で第１係合孔２ｃ及び第２係合孔５ｃに係合軸体１０を挿通することにより、図７に示すように上部扉５は所定開度位置で開状態を保持する。なお、図６及び図７において、上部扉５の一部を破線により内側を透視して示している（図９、図１０、図１４、図１５においても同様。）。
【００１８】
図５に示すような係合軸体１０及び保持部材１１の形態に限らず、係合軸体及び保持部材は其々に必要な機能を有する限りにおいて種々の形態を採用することができ、例えば図８に示すように、係合軸体１０の一端側をコ字状に折り曲げ形成し、保持部材１１は、係合軸体１０を挿入する孔１１ｃを有するアングル板を上部扉５の裏面に溶接してもよい。そして、上部扉５を開けて係合軸体１０を保持部材１１から引き抜き、図９及び図１０に示すように、上部扉５を所定の開度位置として第１係合孔２ｃと第２係合孔５ｃとを連通させておいて、第１係合孔２ｃ及び第２係合孔５ｃに係合軸体１０を挿通させて係合させることにより、上部扉５を所定開度に保つ。
【００１９】
次に、本発明に係る消火栓格納箱の第２実施形態について図１１〜図１５を参照して説明する。
【００２０】
第２実施形態の消火栓格納箱では、係合軸体１０と支軸４とを連結する連結部材１５を備えている。図示例の連結部材１５は、係合軸体１０を挿通して摩擦係合により保持する孔１５ａと、支軸４の軸部４ａに着脱可能に嵌合保持する断面円弧状又は断面略Ｃ字状の嵌合凹部１５ｂとを備えている。連結部材１５は、支軸４を着脱可能に嵌合するため、弾性変形可能な材料によって形成される。連結部材１５は、支軸４の軸線周りに摺動回転可能であり、支軸４の軸線方向に摺動可能に嵌合される。係合軸体１０はＬ字状に形成されている。
【００２１】
図１１に示すように連結部材１５の孔１５ａに係合軸体１０を挿通し保持させておいて、図１２に示すように連結部材１５の嵌合凹部１５ｂに支軸４を嵌合させることにより、図１３に示すように係合軸体１０と支軸４とを連結する。図１４に示すように、上部扉５を所定開度位置に開き、第１係合孔２ｃと第２係合孔５ｃとを連通させて、第１係合孔２ｃと第２係合孔５ｃに係合軸体１０を挿通させる方向（図１４の→の方向）に連結部材１５を支軸４上で摺動させ、図１５に示すように係合軸体１０を第１係合孔２ｃと第２係合孔５ｃに挿通することで、上部扉５を所定開度で保持することができる。上部扉５を閉じる場合は、連結部材１５を反対方向に摺動させて係合軸体１０を第１係合孔２ｃと第２係合孔５ｃから抜脱することにより係合を解除し、上部扉５を閉じることができる。
【００２２】
上記実施形態は何れも例示であり、本発明は、上記実施形態に限らず、本発明の趣旨を逸脱しない範囲において種々の変更が可能のである。
【００２３】
例えば上記実施形態では、第１係合孔及び第２係合孔の孔形状、及び係合軸体の断面形状を円形としているが、これらの形状は円形に限らず、矩形等の他の形状とすることもできる。
【００２４】
また、永久磁石で形成した係合軸体を、上部扉の裏面に磁着させておき、上部扉を開く際に係合軸体を取り外して用いることもできる。また、係合軸体として、例えばスクリュードライバーの軸部分、その他の棒状部材を利用することもできる。
【００２５】
上部扉を縦開きにする支軸は、上記実施形態では上部扉の上部両側に配置して上部扉の下部が開くようになっているが、それに代えて、上部扉の下側に支軸を設けて上部が開くようにすることもできる。また、ある実施形態では、上部扉を兆番により開閉する構成とすることもできる。
【符号の説明】
【００２６】
１  消火栓格納箱
２  扉枠
２ａ  内周側板
２ｃ  第１係合孔
３  下部扉
４  支軸
５  上部扉
５ａ  側板
５ｃ  第２係合孔
８  軸受部材
１０  係合軸体
１１  保持部材
１５  連結部材
【図１】
2017176273.tif 000003
【図２】
2017176273.tif 000004
【図３】
2017176273.tif 000005
【図４】
2017176273.tif 000006
【図５】
2017176273.tif 000007
【図６】
2017176273.tif 000008
【図７】
2017176273.tif 000009
【図８】
2017176273.tif 000010
【図９】
2017176273.tif 000011
【図１０】
2017176273.tif 000012
【図１１】
2017176273.tif 000013
【図１２】
2017176273.tif 000014
【図１３】
2017176273.tif 000015
【図１４】
2017176273.tif 000016
【図１５】
2017176273.tif 000017